(57)【要約】【課題】発光管両端部に圧潰封止されるリード線の方向および回路基板の配置の位置関係を規制することで、発光管と点灯装置の接続作業を容易にした電球形蛍光ランプおよび照明装置を提供することを目的とする。【解決手段】口金を含むカバー内側の中心軸方向に沿って縦形配置された回路基板は、バルブ端部の中心軸を結んだ仮想線に直交するように配置されているとともに、カバー内側中心軸方向からみたとき、各バルブ端部に封装される電極を継線する一対のリード線を結ぶ２本の仮想線が平行するよう圧潰封止により各バルブ端部に封装されているので、発光管と点灯装置を接続する際、リード線が接触することを容易に規制できるとともに、バルブ端部にリード線を圧潰封止しているので、リード線封着方向の規制および接続作業が容易となる。【選択図】  図１
2010212073.tif 000002
【特許請求の範囲】
【請求項１】
一端に口金を備え他端に取付端部を有するカバーと；
複数の電子部品およびラッピングピンが実装され回路基板を有し、この回路基板が口金を含むカバー内側の中心軸方向に沿って縦形に前記カバー内に収容される点灯装置と；
屈曲形成されて一方に一対の封止端部を形成したバルブを有し、前記中心軸方向からみたとき、この一対の封止端部中心軸を結んだ仮想線が前記回路基板の表面に直交するようにカバーの取付端部に配設されているとともに、各バルブ端部に封装される電極を継線する一対のリード線を結ぶ２本の仮想線が互いに略平行となるよう圧潰封止により各バルブ端部に封装された発光管と；
を具備していることを特徴とする電球形蛍光ランプ。
【請求項２】
請求項１記載の電球形蛍光ランプと；
この電球形蛍光ランプが取り付けられる器具本体と；
を具備していることを特徴する照明装置。
【発明の詳細な説明】
【技術分野】
【０００１】
本発明は、電球形蛍光ランプおよびこの電球形蛍光ランプを具備した照明装置に関する。
【背景技術】
【０００２】
電球形蛍光ランプは、屈曲形のバルブを有する発光管、一端に口金を取り付け他端側で発光管を支持するカバー、このカバー内に収容される点灯装置、発光管を被覆してカバーの他端側に取り付けられるグローブ等で構成されている。
【０００３】
この電球形蛍光ランプの小形化を実現するために、カバー内に収容される点灯装置の回路基板を高さ方向に沿った縦形配置とするとともに、この基板の一部を口金内部に配設させた構成が知られている（例えば、特許文献１参照）。
【先行技術文献】
【特許文献】
【０００４】
【特許文献１】特開２００７−４８７２８号公報
【発明の概要】
【発明が解決しようとする課題】
【０００５】
上述のように、カバーに収容する点灯装置の回路基板を縦形配置とすることにより、発光管と点灯装置の接続の作業において、リード線同士が接触するなどの不具合が発生するおそれがあり、これを防ぐためにリード線に絶縁チューブを被せると組立作業性が悪くなってしまう。
【０００６】
本発明はこのような事情を考慮してなされたもので、発光管両端部に圧潰封止されるリード線の方向および回路基板の配置関係を規制することで、発光管と点灯装置の接続作業を容易にした電球形蛍光ランプおよび照明装置を提供することを目的とする。
【課題を解決するための手段】
【０００７】
請求項１記載の電球形蛍光ランプは、一端に口金を備え他端に取付端部を有するカバーと；複数の電子部品およびラッピングピンが実装され回路基板を有し、この回路基板が口金を含むカバー内側の中心軸方向に沿って縦形に前記カバー内に収容される点灯装置と；屈曲形成されて一方に一対の封止端部を形成したバルブを有し、前記中心軸方向からみたとき、この一対の封止端部中心軸を結んだ仮想線が前記回路基板の表面に直交するようにカバーの取付端部に配設されているとともに、各バルブ端部に封装される電極を継線する一対のリード線を結ぶ２本の仮想線が互いに略平行となるよう圧潰封止により各バルブ端部に封装された発光管と；を具備していることを特徴とするものである。
【０００８】
屈曲形成されたバルブは、一対の端部を有する例えば一重や二重の螺旋状に形成された構造などが挙げられる。
【０００９】
電子放射性物質が塗布されたフィラメント電極のコイルは、例えば２重コイル、３重コイルなどが許容される。
【００１０】
口金を含むカバー内側の中心軸方向からみたとき、複数の部品を実装している回路基板の表面と一対の封止端部中心軸を結んだ仮想線が直交するとは、口金側中心軸方向からみたとき、複数の電子部品を実装する回路基板面は電極が封装された一対のバルブ端部に挟まれた空間に配置されているものの他、一対のバルブ端部間に配置されていないものも含まれる。すなわち、バルブ中心軸を結んだ仮想線と回路基板は平行関係にないものを意味する。
【００１１】
一対のバルブ端部から引き出されたリード線は、回路基板に突設されたラッピングピンに巻き付けることで発光管と点灯装置は接続されている。
【００１２】
なお、複数の電子部品およびラッピングピンが突設された回路基板は、口金を含むカバー内側の中心線の方向に沿って縦形に配置されており、回路基板上に突設された４本のラッピングピンは一面に近接するよる並設されている又は、２本ずつ離間するように並設されているほか、２本のラッピングピンが基板の両面にそれぞれ並設されているものであっても構わない。
【００１３】
「各バルブ端部に封装される電極を継線する一対のリード線を結ぶ２本の仮想線が互いに略平行となるよう圧潰封止により各バルブ端部に封装された」とは、一対のリード線を結ぶ仮想線が同一線上にないことを示し、電球形蛍光ランプの外観まで２本の仮想線を延在させたときに互いの仮想線が交わらないもののほか、電球形蛍光ランプの外観よりも離間するよう延在した位置で互いの仮想線が交わうような、完全に平行ではないものも含まれる。
【００１４】
なお、点灯装置は、例えば高周波出力を発光管に印加して発光管を点灯させる電子部品を主体としたインバータ回路などで構成してもよい。
【００１５】
カバー体は発光管を間接的または直接的に支持する場合のいずれでもよい。発光管を間接的に支持する場合には、カバーの他端側に発光管取り付け可能なホルダを用いるのが好ましい。
【００１６】
口金は、Ｅ形と称されるねじ込みタイプが通常使用されるが、一般照明用電球が装着されるソケットに取り付け可能であればこれに限定しない。
【００１７】
また、発光管を覆うグローブを有していてもよく、その形状は一般白熱電球のシルエットと略同形状をなしていることが望ましいが、球形状や、円筒状であっても構わない。さらに、光拡散膜などが形成されたガラス製や樹脂製など、材質も限定されない。
【００１８】
請求項２記載の照明装置は、請求項１記載の電球形蛍光ランプと；この電球形蛍光ランプが取り付けられる器具本体と；を具備しているものである。
【発明の効果】
【００１９】
請求項１記載の電球形蛍光ランプによれば、口金を含むカバー内側の中心軸方向に沿って縦形配置された回路基板は、バルブ端部の中心軸を結んだ仮想線に直交するように配置されているとともに、カバー内側中心軸方向からみたとき、各バルブ端部に封装される電極を継線する一対のリード線を結ぶ２本の仮想線が略平行するよう圧潰封止により各バルブ端部に封装されているので、発光管と点灯装置を接続する際、リード線が接触することを容易に規制できるとともに、バルブ端部にリード線を圧潰封止しているので、リード線封着方向の規制および接続作業が容易となる。
【００２０】
請求項２記載の照明装置によれば、請求項１または２記載の電球形蛍光ランプを具備しているので、これら電球形蛍光ランプの作用効果を有する照明装置を提供することができる。
【図面の簡単な説明】
【００２１】
【図１】本発明の第１の実施形態に係る電球形蛍光ランプを示す一部縦断正面図。
【図２】図１で示す発光管の正面図。
【図３】図１で示す発光管と回路基板との位置関係を示す底面図。
【図４】本発明の第２の実施形態に係る発光管と回路基板との位置関係を示す底面図。
【図５】本発明の実施形態である照明装置を示す概略構成図。
【発明を実施するための形態】
【００２２】
以下、本発明の実施形態を添付図面に基づいて説明する。なお、複数の添付図面中、同一または相当部分には、同一符号を付している。
【００２３】
図１は本発明の第１の実施形態に係る電球形蛍光ランプを示す一部縦断正面図、図２は、図１で示す発光管の正面図、図３は電球形蛍光ランプの発光管と回路基板との位置関係を示す底面図、図４は、本発明の第２の実施形態に係る発光管と回路基板との位置関係を示す底面図、図５は本発明の実施形態である照明装置を示す概略構成図である。
【００２４】
図１に示すように電球形蛍光ランプ１は、その高さ方向（管軸方向）の一端（図１では下端）に口金２を有するカバー３、このカバー３の他端（図１では上端）側に支持された発光管４、この発光管４の一端側を支持するカバー３に取り付けられたホルダ５、発光管４を覆うとともに一端側でホルダ５の周囲を覆ってカバー３に取り付けられたグローブ６、口金２およびカバー３の内側に収納された点灯装置７を備えている。そして、電球形蛍光ランプ１は、定格電力が例えば４０Ｗタイプ、６０Ｗタイプ、１００Ｗタイプの白熱電球などのＪＩＳ  Ｃ  ７５０１に定義される一般照明用電球に近い寸法と外観に形成されている。
【００２５】
口金２は、エジソンタイプのＥ２６形などで、ねじ山を備えた筒状のシェル２ａ、このシェル２ａの一端側の頂部に絶縁部２ｂを介して設けられたアイレット２ｃを備えている。シェル２ａは、その他端側をカバー３の一端部に被せて接着剤またはかしめなどにより固定されている。
【００２６】
カバー３は、例えばポリブチレンテレフタレート（ＰＢＴ）などの耐熱性合成樹脂により図１中下方に向けて縮径する逆円錐台状部と円筒状部を一体に連成したカバー本体３ａを有し、このカバー本体３ａの一端（図１中下端）側には口金２のシェル２ａが取り付けられ、カバー本体３ａの他端側（図１中上端側）には、取付端部である環状の開口取付端部３ｂが形成されている。
【００２７】
この取付端部３ｂ内には、カバー本体３ａの円錐台状部と円筒部との連結部内側の環状凸状段部３ｃ上にて、ホルダ５の下部円筒状開口端を載置し固着している。
【００２８】
すなわち、ホルダ５は例えばＰＢＴ等の耐熱性合成樹脂により有蓋円筒状に形成され、その蓋部をなす円板状の基板部５ａの図中下面周縁部に、一端（図１では下端）側に突出する円筒状の円筒部５ｂを一体に連成し、この円筒部５ｂの図１中開口下端を、カバー本体３ａの凸状段部３ｃ上に係合させて固着している。
【００２９】
ホルダ５は、基板部５ａ上に、発光管４の一対の電極封止端部４ａ，４ｂを載置させて支持する支持凹部と、これら電極封止端部４ａ，４ｂ同士の間隙内に突出して、その径方向のずれを規制する筒状突部５ｃを突設している。基板部５ａは、その筒状突部５ｃの外側にて、挿通孔５ｄ，５ｅをそれぞれ形成し、これら挿通孔５ｄ，５ｅには、発光管４の一対の電極封止端部４ａ，４ｂからその外方へ突出する細管４ｃと図２で示すリード線４ｄ１，４ｄ２，４ｄ３，４ｄ４をそれぞれ挿通させるようになっている。
【００３０】
グローブ６は、透明または光拡散性を有するガラスや合成樹脂などの材質により、白熱電球などの一般照明用電球のガラス球の形状に近い滑らかな曲面状に形成されている。すなわち、グローブ６は、ほぼ球状に形成された球状部６ａの図１中下端部に、この球状部６ａの直径よりも小径に漸次縮径されたほぼ円筒状の縮径部６ｂを一体に連成しており、球状部６ａはグローブ６の最大径を示す最大径部６ｃを有する。縮径部６ｂは、グローブ６の一端部（図１中下端部）に開口端部６ｄが形成され、この開口端部６ｄの縁部がカバー３の開口取付端部３ｂの内側に嵌合されて例えばシリコーン樹脂やエポキシ樹脂などの接着剤により接着固定されている。
【００３１】
発光管４は、図１の上部である螺旋形部４ｅと、同下部（バルブ端部）の一対の直状部４ｆとを有し、これらを一体に連結している。
【００３２】
螺旋形部４ｅは、外径が例えば８．５ｍｍの直状円管状のガラスバルブをほぼ等分の２つ折りに折曲し、その等分位置の折返し部４ｇを頂端として図示しない金型に巻き付けて２重螺旋形にモールド成形することにより形成される。
【００３３】
ガラスバルブは、その内面に、希土類金属酸化物等からなる蛍光体膜をほぼ全長に亘って形成し、軸方向両端部には、一対の電極４ｊ，４ｈをそれぞれ封装して電極封止端部４ａ，４ｂをそれぞれ形成している。
【００３４】
一対の電極４ｈ，４ｉは、例えばタングステン製のフィラメントコイルが使用されて一対のリード線４ｄにより継線されバルブ端部４ａ，４ｂに細管（排気管）４ｃとともに圧潰封止され、バルブ端部４ａ，４ｂよりも外部に導出されて点灯装置７に接続される。なお、バルブ端部４ａ，４ｂから引き出されたリード線４ｄは、点灯装置７の各ラッピングピン７ｃの並設方向に向かってそれぞれが略平行に引き出され、接続されている。
【００３５】
ガラスバルブ内には、アルゴンやクリプトンガス等の放電媒体が封入されており、一対の電極封止端部４ａ，４ｂの外面には、その内部に連通する細管４ｃが突設されている。細管４ｃ内には水銀またはアマルガムが収容されている。
【００３６】
螺旋形部４ｅは、グローブ６の最大径部６ｃを有する頂端６ｄ側の球状部６ａ内に収容され、その螺旋径を、グローブ６の球状部６ａの内面形状に対応して頂端の折返し部４ｇから最大径部６ｃに向けて漸次拡径して行き、グローブ６の最大径部６ｃで螺旋径を最大とし、さらに、グローブ６の球状部６ａ下半部の縮径に対応して螺旋径を漸次縮径して行って直状部４ｆの図１中上端部に一体に連成されている。
【００３７】
直状部４ｆは螺旋形部４ｅの一対の螺旋終端部において、一対の電極封止端部４ａ，４ｂ側のガラスバルブの図１中下部を、グローブ６の円筒状部６ｂの軸方向下方に向けてほぼ直角に折曲し、直状の一対の電極封止端部４ａ，４ｂをほぼ平行に並設してホルダ５の支持用凹部内に挿入している。この直状部４ｆは、螺旋形部４ｅよりも放電路長が短いので、短放電路部としても形成されている。
【００３８】
点灯装置７は、点灯回路パターンを形成した縦基板７ａを例えば、口金２内面の一対の縦溝内に嵌入して固定している。すなわち、口金２は、その内面に、その直径方向で対向する一対の縦溝を口金２の軸方向に形成し、この縦溝内に縦基板７ａの幅方向両側縁部を嵌入させて固定している。縦基板７ａは片面または両面基板に構成され、その実装面には、電解コンデンサ等のリード部品やトランジスタ等のチップ部品等の点灯回路部品である複数の電子部品７ｂ，７ｂ，…が実装されているとともに、口金２側とは反対側すなわち発光管４側に４本のラッピングピン７ｃ１，７ｃ２，７ｃ３，７ｃ４が等間隔となるよう直線状に突設されている。
【００３９】
次に図３および図４に発光管４と回路基板７ｃとの位置関係の具体的構成を示す。回路基板７に実装された４本のラッピングピン７ｃ１〜７ｃ４は基板表面に配設され、ランプ長手方向からみたとき、一対のバルブ端部４ａ、４ｂの略中心部である圧潰封止された細管４ｃを結ぶ仮想線ａと回路基板７とは略直交関係にある。さらに、一対のリード線４ｄ１〜４ｄ４を結んだ仮想線ｂはそれぞれが平行関係を保つよう一対のバルブ端部４ａ、４ｂに圧潰封着され、ラッピングピン７ｃ１〜７ｃ４に接続されている。
【００４０】
図３のように、ホルダ５に取付けられた発光管４から引き出された一対のリード線４ｄ１、４ｄ２および４ｄ３、４ｄ４を結んだ仮想線ｂが平行しているとともに、この仮想線ｂとバルブ端部中心軸を結んだ仮想線ａと直交し、かつ一対のバルブ端部間に平面が仮想線ｂと直交する回路基板が配置されているので、回路基板７ａの両面のどの位置にラッピングピンが配設されている場合においても、各電極の4本のリード線４ｄを配線する場合に所定間隔を保ちやすくなり、ラッピングピン７ｃに容易に接続することができる。さらに、一対のバルブ端部４ａ，４ｂ側面を加熱し、圧潰封止する作業においても、バルブ直状部４ｆ間に加熱用バーナーを位置することで、一対のバルブ端部４ａ，４ｂを同時に加熱することができ、製造コストが削減できる。また、加熱後、バルブ端部４ａ，４ｂ間の加熱用バーナーを圧潰封止装置の一方を挿入することで、圧潰方向を確実規制することができるため、製造作業が容易となる。
【００４１】
図４の圧潰封止方向は圧潰封止面がラッピングピン７ｃへ対向する様に、仮想線ａに対して約４５℃傾斜している。このように圧潰封止部は、一対の直状部の両側面から加熱するとともに圧潰封止するため、直状部４ｆ間に封止装置を挿入することがないため、封止装置を比較的狭い空間である直状部４ｆ間を移動することがないので、封止装置がバルブに接触し、バルブ破損ことがないので、封止工程の作業を容易にすることができる。さらに、ラッピングピン７ｃ１〜７ｃ４にリード線４ｄをラッピング接続する工程において、バルブ端部４ａ、４ｂに封着された一対のリード線４ｄ１〜４ｄ４は、ラッピングピンに対向するように圧潰封止されているため、互いの接触を一層抑制することができる。
【００４２】
このように構成された電球形蛍光ランプ１の具体的構成の一例は、次の通りである。すなわち、発光管４の発光管最大外径（螺旋外径）が５４ｍｍ、発光管４の高さｈ１が６４±１ｍｍ、発光管４の最大径部４ｋの水平中心軸Ｏａから一対の電極封止端部４ａ，４ｂの外面までの高さｈ２が約４０ｍｍである。一対の電極４ｉ，４ｊ同士間の放電路長は３６０〜６１０ｍｍであり、ガラスバルブのバルブ径に応じて相違する。例えばガラスバルブの径（バルブ径）が８ｍｍのとき、放電路長が４７６ｍｍ、バルブ径が９ｍｍのとき、放電路長が３７４ｍｍである。また、口金２の外径が２６ｍｍであり、発光管４の直状部４ｆ，４ｆ間の最大幅ｗ１（３０．５ｍｍ）は、口金２の外径φ３の約１．１７倍である。
【００４３】
したがって、この電球形蛍光ランプ１によれば、一般照明用電球近似の外観を得ることができる。
【００４４】
本実施の形態の電球形蛍光ランプ１によれば、バルブ端部４ａ，４ｂに封着されたフィラメント電極４ｈ，４ｉを継線するリード線４ｄ１〜４ｄ４を結ぶ仮想線ｂはが略並行するように圧潰封止しているとともに、一対のバルブ端部中心軸を結ぶ仮想線と回路基板７は略直交するように回路基板７ａを縦形に配置しているので、発光管４と点灯装置７の接続作業において、リード線４ｄ１〜４ｄ４からラッピングピン７ｃ１〜７ｃ４へ配線した場合にリード線同士が所定の間隔を保ちやすくなる。したがって、リード線４ｄ１〜４ｄ４同士が接触するなどの不具合を容易に抑制することができると共に、接続作用が容易となる。また、バルブ端部４ａ、４ｂから引き出されたリード線４ｄ１〜４ｄ４をラッピングピン７ｃ１〜７ｃ４まで誘導する手段や接触抑制手段を有していないものにおいても、容易に配線作業を行えるとともにリード線４ｄ１〜４ｄ４の接触などの不具合を抑制することができる。
【００４５】
図５は本発明の照明装置１１の概略構成図である。この照明装置１１は、例えばダウンライト等の照明装置であり、照明器具本体１２を有する。この照明器具本体１２内にはソケット１３および反射体１４が取り付けられ、ソケット１３には上記電球形蛍光ランプ１の口金２がねじ込みにより装着される。
【００４６】
この照明装置１１によれば、電球形蛍光ランプ１の高光束、高発光効率の螺旋形部４ｅが図５中下方に向いているので、直下照度を向上させることができる。
【００４７】
また、電球形蛍光ランプ１の口金２側へ放射される光束を増大させる直状部４ｆが照明器具本体１２の反射体１４側に位置して対向しているので、この反射体１４により反射される反射光を増加させることができる。
【符号の説明】
【００４８】
１…電球形蛍光ランプ、２…口金、３…カバー、３ａ…カバー本体、３ｂ…カバーの開口取付端部、４…発光管、４ａ，４ｂ…一対の電極封止端部、４ｃ１〜４ｃ４…リード線、５…ホルダ、５ａ…ホルダの基板部、５ｃ…ホルダの筒状支持部、５ｄ，５ｅ…ホルダの取付孔、６…グローブ、６ａ…グローブの開口端部、６ｂ…グローブの縮径部、７…点灯装置、７ａ…点灯装置の縦基板、７ｂ…点灯装置の電子部品、７ｃ１〜７ｃ４…ラッピングピン、１１…照明装置、１２…照明器具本体。
【図１】
2010212073.tif 000003
【図２】
2010212073.tif 000004
【図３】
2010212073.tif 000005
【図４】
2010212073.tif 000006
【図５】
2010212073.tif 000007